(57)【要約】【課題】部品点数を増加させることなく、筆記部を軸筒の前端から突出させた状態を安定して維持するとともに、クリップの弾発力を大きくする。【解決手段】ノック式筆記具１０は、長孔１１ａが周囲に形成された軸筒１１と、軸筒に挿入され弾性体１４により後方に付勢される筆記体１２と、軸筒の後部に挿入されたノック体１６と、前端がノック体１６に接続されて湾曲可能な弾性片１７と、弾性片１７に設けられ筆記部１２ａが軸筒に没入した状態で後端が長孔１１ａの後端に当接する脚部１８と、後部が脚部１８に連結されるクリップ１９とを備える。筆記部１２ａが軸筒から突出した状態で長孔の後端に係止し筆記部１２ａの突出状態を維持可能な係止突起２１が弾性片１７の後端に形成され、係止突起２１は弾性片１７の後端が軸筒内部に弾性変形することにより長孔１１ａの後端への係止が解除されるように構成される。【選択図】  図１
0003139755.tif 000002
【実用新案登録請求の範囲】
【請求項１】
軸方向に延びる長孔が形成された軸筒と、前端の筆記部を前記軸筒の前端から出没可能に前記軸筒に挿入され弾性体により後方に付勢される筆記体と、前記筆記体の後端に当接し後部が前記軸筒の後端から後方に突出するように前記軸筒の後部に挿入されたノック体と、前記軸筒に挿入されたノック体に沿って設けられ前端が前記ノック体に接続されて湾曲可能な弾性片と、前記弾性片に設けられ前記長孔に前後方向に移動可能に挿通された脚部と、前記脚部に連結されて前記軸筒の外部に設けられ前記軸筒の外周に弾性により押接させるクリップとを備えたノック式筆記具において、
前記筆記部が前記軸筒から突出した状態で前記長孔の後端に係止し前記筆記部の突出状態を維持可能な係止突起が前記弾性片の後端に形成され、
前記係止突起は前記弾性片の後端が前記軸筒内部に弾性変形することにより前記長孔の後端への係止が解除されるように構成された
ことを特徴とするノック式筆記具。
【請求項２】
軸筒の外周にクリップの前端が押接され、脚部が係止突起より前方の弾性片の中間部に設けられた請求項１記載のノック式筆記具。
【請求項３】
筆記部が軸筒に没入した状態で係止突起が進入可能な係止孔が長孔後方の前記軸筒に形成された請求項１又は２記載のノック式筆記具。
【請求項４】
軸筒に前記軸筒の後端から係止孔を貫通して長孔に至るスリットが長手方向に形成された請求項３記載のノック式筆記具。
【請求項５】
クリップの後部に脚部を越えて後方に延びる操作部が形成され、筆記部が軸筒に没入した状態で前記操作部が係止孔を覆うように構成された請求項３又は４記載のノック式筆記具。
【請求項６】
筆記部が軸筒に没入した状態で脚部の後端が長孔の後端に当接するように構成され、前記脚部の後端と係止突起の後面との間隔と、前記長孔の後端と係止孔の後端との間隔が等しい請求項３ないし５いずれか１項に記載のノック式筆記具。
【請求項７】
ノック体は後部が軸筒の後端から後方に突出するノック部と前記ノック部から前方に所定の間隔をあけて設けられ筆記体の後端が接触する接触部と前記ノック部と前記接触部を連結する連結部とを有し、
弾性片は前記連結部と所定の間隔をあけて前記連結部に並設されて前端が前記接触部に接続され、
長孔の後端に当接する脚部の後端が前記軸筒に直行するか或いはクリップに向かうに従って後方に移動するように傾斜して形成され、
筆記体を後方に付勢する弾性体は前記脚部の後端を前記長孔の後端に押しつけて前記脚部を前記軸筒の外側に突出させるように構成された
請求項６記載のノック式筆記具。
【請求項８】
ノック体は後部が軸筒の後端から後方に突出するノック部と前記ノック部から前方に所定の間隔をあけて設けられ筆記体の後端が接触する接触部と前記ノック部と前記接触部を連結する連結部とを有し、
弾性片は前記連結部と所定の間隔をあけて前記連結部に並設されて前端が前記接触部に接続され、
長孔の後端から係止突起が解除された状態で前記連結部又は前記弾性片に当接する支持突起が前記弾性片の中間部又は脚部に対向する前記連結部に形成された
請求項１ないし６いずれか１項に記載のノック式筆記具。
【請求項９】
支持突起が弾性により湾曲可能に傾斜して弾性片又は連結部に形成された請求項８記載のノック式筆記具。
【考案の詳細な説明】
【技術分野】
【０００１】
本考案は、軸筒の後端から後方に突出したノック体を押圧することにより、軸筒に挿入された筆記体の筆記部を軸筒の前端より突出させるノック式筆記具に関するものである。
【背景技術】
【０００２】
従来、このようなノック式筆記具として、軸筒と、その軸筒内に摺動可能に挿入された筆記体と、この筆記体を後方へ付勢する弾性体と、その弾性体の付勢力に抗して筆記体を前方に移動させるノック体とを備えたものが知られている（例えば、特許文献１参照。）。このノック式筆記具では、軸筒の後部周囲に軸方向に延びる長孔が形成され、軸筒の後部に挿入されたノック体に長孔に挿通する脚部が形成され、軸筒の外部であってその軸筒に沿って設けられたクリップの後部がその脚部に連結される。また、クリップの前端には係止突起が形成され、長孔前方の軸筒には、クリップの係止突起の位置より前方において、筆記体の移動量に等しい距離の位置に係止突起を係止する係止孔が形成される。そして、弾性体の付勢力に抗してノック体を押圧することにより筆記体を前方に移動させると、クリップ前端における係止突起が係止孔に係止し、これによって、筆記体の前部における筆記部を軸筒の前端から突出させた状態に維持するように構成される。
【０００３】
しかし、この筆記具では、クリップ前端における係止突起を係止孔に係止させた状態に維持する必要から、クリップと脚部の角度をクリップを軸筒に取付けた状態におけるクリップと脚部の角度より小さく形成し、クリップを軸筒に取付けた状態においてクリップと脚部との付け根部分を支点としてクリップと脚部との角度を拡開させ、その復元しようとする弾性力によりクリップの前端を軸筒の表面に押接させていた。また、筆記部を軸筒に没入させるにはクリップ前端における係止突起を係止孔より離脱させることが必要であり、その際にはクリップと脚部との付け根部分を支点として、クリップの前端を軸筒より離間させていた。従って、クリップの前端を常に軸筒の表面に押接させるために、またクリップ前端における係止突起を係止孔より離脱させるために、クリップと脚部との付け根部分に過度の負荷が加わる不具合があった。
【０００４】
この点を解消するために、図１３に示すように、弾性片７をノック体６に設け、その弾性片７に脚部８を設けることが提案されている（例えば、特許文献２参照。）。このノック式筆記具では、弾性片７を介して脚部８がノック体６に接続されるので、クリップ９の弾性によりそのクリップ９の前端を常に軸筒１の表面に押接させるけれども、図１４に示すように、クリップ９前端における係止突起９ａを係止孔１ａより離脱させる際には、この弾性片７が弾性変形して湾曲する。これにより、クリップ９と脚部８との付け根部分に加わる負荷を弾性片７に分散させることができ、その付け根部分に負荷が集中して加わることを回避できるとしている。
【特許文献１】実公平５−２５９１５号
【特許文献２】実公平６−１５７４１号
【考案の開示】
【考案が解決しようとする課題】
【０００５】
しかし、弾性片７を介して脚部８をノック体６に接続する上記従来のノック式筆記具では、クリップ９の前端における係止突起９ａを軸筒１の係止孔１ａに係止させる力が弱まって筆記部２ａを軸筒１の前端から突出させた状態に維持することが不安定になるとともに、クリップ９前端における係止突起９ａを係止孔１ａから離脱させて筆記部２ａを軸筒１に没入させることが比較的困難となる不具合があった。
即ち、従来では、クリップ９の前端が軸筒１の表面を押接する弾発力を確保するために、クリップ９と脚部８の角度をクリップ９を軸筒１に取付けた状態におけるクリップ９と脚部８の角度より小さく形成し、クリップ９を軸筒１に取付けた状態においてクリップ９と脚部８との角度を拡開させ、その復元しようとする弾性力によりクリップ９の前端を軸筒１の表面に押接させている。
【０００６】
しかし、弾性片７をノック体６に設けてこの弾性片７に脚部８を形成すると、クリップ９と脚部８の角度をクリップ９を軸筒１に取付けた状態におけるクリップ９と脚部８の角度より小さく形成してクリップ９を軸筒１に取付け、クリップ９と脚部８との角度を拡開させると、その弾性片７も弾性変形してしまう。すると、クリップ９の前端が軸筒１の表面を押接する弾発力を確保するために必要なクリップ９と脚部８との拡開する角度は従来より減少して、そのクリップ９の前端が軸筒１の表面を押接する弾発力も減少する。この押接する弾発力が減少すると、クリップ９の前端における係止突起９ａを軸筒１の係止孔１ａに係止させる力が弱まって、筆記部２ａを軸筒１の前端から突出させた状態に維持することが弾性片７を設けない従来に比較して不安定になる不具合があった。
【０００７】
また、このノック式筆記具において筆記部２ａを軸筒１に没入させるには、図１３の矢印Pで示すように、脚部８より後方におけるクリップ９の後部９ｂを軸筒１側に押圧することにより脚部８を中心としてそのクリップ９を揺動させ、これにより脚部８より前方におけるクリップ９の前端を軸筒１の外表面から離間させてクリップ９前端における係止突起９ａを係止孔１ａより離脱させるとしている。
【０００８】
しかし、弾性片７を介して脚部８をノック体６に接続する上記従来のノック式筆記具では、図１４に示すようにクリップ９の後部９ｂを軸筒１側に押圧すると、その脚部８が設けられた弾性片７自体が湾曲し、その脚部８が軸筒１の内部に没入してしまってクリップ９を大きく揺動させることができない。このため、脚部８より前方におけるクリップ９の前端を軸筒１の外表面から大きく離間させることができずに、係止突起９ａを係止孔１ａから離脱させて筆記部２ａを軸筒１に没入させることが比較的困難になる不具合があった。
【０００９】
また、筆記部２ａが軸筒１に没入した状態にあって、クリップ１は、その前端を軸筒１から開かせて、その間に図示しないポケット等の生地を進入させた後に復元させて軸筒１とともその生地を挟み、これによりその筆記具をそのポケット等に保持するものである。しかし、クリップ１の前端を開かせるためにクリップ９の後部９ｂを軸筒１側に押圧しても、脚部８が軸筒１の内部に没入してしまうとクリップ９を大きく揺動させることができずに、クリップ９の前端を軸筒１から大きく開かせることができない。このため、比較的厚みのある部分をクリップにより挟持できない不具合もあった。
【００１０】
これらの点を解消するために、弾性片７をノック体６に設ける上記従来のノック式筆記具では、スプリング５を弾性片７とノック体６の間に付設し、そのスプリング５により脚部８を外方に弾発させ、クリップ９と脚部８との付け根部分に過度の負荷が加わることを防止する以外の弾性片７の不必要な弾性変形を防止し、これによりクリップ９の前端が軸筒１の表面を押接する弾発力が減少することを回避している。しかし、このようなスプリング５を弾性片７とノック体６間に付設することは、部品点数の増加とともにその取付け工数の増加を招き、結果として製品の単価が押し上げられる不具合があった。
【００１１】
本考案の目的は、部品点数を増加させることなく、筆記部を軸筒の前端から突出させた状態を安定して維持するとともに、比較的容易に筆記部を軸筒に没入させることができ、クリップにおける把持力を大きくすることができるノック式筆記具を提供することにある。
【課題を解決するための手段】
【００１２】
請求項１に係る考案は、図１及び図２に示すように、軸方向に延びる長孔１１ａが形成された軸筒１１と、前端の筆記部１２ａを軸筒１１の前端から出没可能に軸筒１１に挿入され弾性体１４により後方に付勢される筆記体１２と、筆記体１２の後端に当接し後部が軸筒１１の後端から後方に突出するように軸筒１１の後部に挿入されたノック体１６と、軸筒１１に挿入されたノック体１６に沿って設けられ前端がノック体１６に接続されて湾曲可能な弾性片１７と、弾性片１７に設けられ長孔１１ａに前後方向に移動可能に挿通された脚部１８と、脚部１８に連結されて軸筒１１の外部に設けられ軸筒１１の外周に弾性により押接させるクリップ１９とを備えたノック式筆記具１０の改良である。
【００１３】
請求項１に記載された筆記具では、筆記部１２ａが軸筒１１から突出した状態で長孔１１ａの後端に係止し筆記部１２ａの突出状態を維持可能な係止突起２１が弾性片１７の後端に形成され、係止突起２１は弾性片１７の後端が軸筒１１内部に弾性変形することにより長孔１１ａの後端への係止が解除されるように構成されたことを特徴とする。
【００１４】
この請求項１に記載されたノック式筆記具では、クリップ１９の前端が軸筒１１の表面を押接する弾発力を確保するために、従来と同様にクリップ１９と脚部１８の角度を取付けた状態におけるクリップ１９と脚部１８の角度より小さく形成し、クリップ１９を軸筒１１に取付けた状態においてクリップ１９と脚部１８との角度を拡開させる。弾性片１７に係止突起２１を形成するので、その弾性片１７を湾曲させて長孔１１ａの後端に係止した係止突起２１をその長孔１１ａからの離脱を、従来技術であるクリップ１９の前端に設けられた係止突起を軸筒の係止孔からの離脱よりも容易にすることができる。よって、長孔１１ａの後端に係止突起２１を比較的大きな力で係止させることができ、これにより筆記部１２ａが軸筒１１から突出した状態を安定して維持することが可能となる。
【００１５】
請求項２に係る考案は、請求項１に係る考案であって、軸筒１１の外周にクリップ１９の前端が押接され、脚部１８が係止突起２１より前方の弾性片１７の中間部に設けられたことを特徴とする。
この請求項２に記載されたノック式筆記具では、脚部１８を係止突起２１が形成された弾性片１７の後端に形成せずに、その係止突起２１より前方の弾性片１７の中間部に形成する。従って、係止突起２１より前方の弾性片１７の中間部に脚部１８を形成することにより、弾性片１７を湾曲させて脚部１８を移動させるために必要な弾発力を増加させることができる。この結果、その脚部１８を軸筒１１の外方に弾発させるために従来必要とされた図１３におけるスプリング５を不要にすることができ、部品点数を増加させることなく、弾性片１７の不必要な弾性変形を防止することができ、これによりクリップ１９の前端が軸筒１１の表面を押接する弾発力の減少を回避することができる。
【００１６】
請求項３に係る考案は、請求項１又は２に係る考案であって、筆記部１２ａが軸筒１１に没入した状態で係止突起２１が進入可能な係止孔１１ｅが長孔１１ａ後方の軸筒１１に形成されたことを特徴とする。
この請求項３に記載されたノック式筆記具では、弾性片１７を弾性変形させて係止突起２１を軸筒１１の内部に埋没させることにより長孔１１ａとの係止状態を解消するけれども、筆記部１２ａが軸筒１１に没入した状態でその係止突起２１が進入可能な係止孔１１ｅを軸筒１１に形成するので、弾性片１７が弾性変形した状態を筆記部１２ａが軸筒１１に没入した状態で解消することができる。よって、弾性片１７の弾性変形した状態が維持されることに起因する弾性片１７のへたりを防止することができる。
【００１７】
請求項４に係る考案は、請求項３に係る考案であって、更に図３及び図４に示すように、軸筒１１に軸筒１１の後端から係止孔１１ｅを貫通して長孔１１ａに至るスリット１１ｆが長手方向に形成されたことを特徴とする。
この請求項４に記載されたノック式筆記具では、脚部１８を軸筒１１のスリット１１ｆに位置させ、そのスリット１１ｆを拡開させて、その脚部１８を前進させるだけの比較的単純な作業で、その脚部１８は係止孔１１ｅを貫通して長孔１１ａに至る。よって、その脚部１８を軸筒１１の長孔１１ａに比較的容易に挿入することができ、比較的製造が容易なノック式筆記具を得ることができる。
【００１８】
請求項５に係る考案は、請求項３又は４に係る考案であって、クリップ１９の後部に脚部１８を越えて後方に延びる操作部２２が形成され、筆記部１２ａが軸筒１１に没入した状態で操作部２２が係止孔１１ｅを覆うように構成されたことを特徴とする。
この請求項５に記載されたノック式筆記具では、筆記部１２ａが軸筒１１に没入した状態で操作部２２が係止孔１１ｅを覆うので、その係止孔１１ｅが外部に表出することに起因する外観上の見栄えの悪化を防止することができる。
【００１９】
請求項６に係る考案は、請求項３ないし５のいずれか１項に係る考案であって、筆記部１２ａが軸筒１１に没入した状態で脚部の後端が長孔１１ａの後端に当接するように構成され、脚部１８の後端と係止突起２１の後面２１ｂとの間隔と、長孔１１ａの後端と係止孔１１ｅの後端との間隔が等しいことを特徴とする。
この請求項６に記載されたノック式筆記具では、筆記部１２ａが軸筒１１に没入した状態で、脚部１８後端が長孔１１ａの後端に当接し、係止突起２１の後面２１ｂが係止孔１１ｅの後端に当接することになる。このため、脚部１８後端が長孔１１ａの後端に当接して筆記部１２ａが軸筒１１に没入した状態を維持する力を、係止突起２１の後面２１ｂが係止孔１１ｅの後端に当接することによりこの部分に分散することができ、これにより筆記部１２ａが軸筒１１に没入した状態を安定して維持することができる。また、例えばスリット１１ｆを形成した場合には、脚部１８後端が長孔１１ａの後端に過度に当接することに起因するスリット１１ｆの拡開は抑制され、軸筒１１の長孔１１ａに挿入された脚部１８がスリット１１ｆから離脱するような事態を有効に回避することができる。
【００２０】
請求項７に係る考案は、請求項６に係る考案であって、ノック体１６は後部が軸筒１１の後端から後方に突出するノック部１６ａとノック部１６ａから前方に所定の間隔をあけて設けられ筆記体１２の後端が接触する接触部１６ｂとノック部１６ａと接触部１６ｂを連結する連結部１６ｃとを有し、弾性片１７は連結部１６ｃと所定の間隔をあけて連結部１６ｃに並設されて前端が接触部１６ｂに接続され、長孔１１ａの後端に当接する脚部１８の後端が軸筒１１に直行するか或いはクリップ１９に向かうに従って後方に移動するように傾斜して形成され、筆記体１２を後方に付勢する弾性体１４は脚部１８の後端を長孔１１ａの後端に押しつけて脚部１８を軸筒１１の外側に突出させるように構成されたことを特徴とする。
この請求項７に記載されたノック式筆記具では、弾性体１４が筆記体１２を後方に付勢することにより脚部１８を軸筒１１の外側に突出させるので、弾性片１７の前端を中心としてその脚部１８に連結されたクリップ１９を回動させ、クリップ１９の前端を比較的強い力で軸筒１１の外周に押接させることができる。この結果、このクリップ１９における把持力を大きくすることができる。
【００２１】
請求項８に係る考案は、請求項１ないし６のいずれか１項に係る考案であって、図７に示すように、ノック体１６は後部が軸筒１１の後端から後方に突出するノック部１６ａとノック部１６ａから前方に所定の間隔をあけて設けられ筆記体１２の後端が接触する接触部１６ｂとノック部１６ａと接触部１６ｂを連結する連結部１６ｃとを有し、弾性片１７は連結部１６ｃと所定の間隔をあけてその連結部１６ｃに並設されて前端が接触部１６ｂに接続され、長孔１１ａの後端から係止突起２１が解除された状態で連結部１６ｃ又は弾性片１７に当接する支持突起２６が弾性片１７の中間部又は脚部１８に対向する連結部１６ｃに形成されたことを特徴とする。
【００２２】
この請求項８に記載されたノック式筆記具では、長孔１１ａの後端から係止突起２１が解除された状態で支持突起２６が連結部１６ｃ又は弾性片１７に当接し、脚部１８がそれ以上軸筒１１内部に没入することを防止する。すると、例えば操作部２２を更に押圧すると、その後クリップ１９はそれ以上の軸筒１１内部への没入が禁止された脚部１８を中心として揺動し、クリップ１９の前端を軸筒１１から比較的大きく開かせる。一方、操作部２２の押圧を解除すると、クリップ１９は脚部１８を中心とした弾性変形の復元力によりクリップ１９の前端が軸筒１１の表面を押接する。これにより、クリップ１９の前端が軸筒１１の表面を押接する弾発力が減少することを防止することができ、係止突起２１を長孔１１ａの後端から離脱させた後の弾性片１７の不必要な弾性変形を防止して、クリップ１９の前端が軸筒１１とともにポケット等の生地を挟持する力を確保することができる。
【００２３】
請求項９に係る考案は、請求項８に係る考案であって、図１０に示すように、支持突起２６が弾性により湾曲可能に傾斜して弾性片又は連結部に形成されたことを特徴とする。
支持突起２６が連結部１６ｃ又は弾性片１７に当接した状態でクリップ１９が弾性変形すると、そのクリップ１９と脚部１８の付け根部分や支持突起２６に力が加わるけれども、この請求項９に記載されたノック式筆記具では、傾斜して形成された支持突起２６が弾性により湾曲してクリップ１９と脚部１８の付け根部分や支持突起２６に加わる力を吸収し、その付け根部分やその支持突起２６に過度な負荷が加わるようなことを回避することができる。
【考案の効果】
【００２４】
本考案のノック式筆記具では、筆記部が軸筒から突出した状態で長孔の後端に係止し筆記部の突出状態を維持可能な係止突起を軸筒内部における弾性片の後端に形成したので、クリップの前端に係止突起を形成する従来に比較して、係止突起を長孔の後端に係止させようとする付勢力を増加させることができる。よって、筆記部を軸筒の前端から突出させた状態に安定して維持することが可能となる。
また、弾性片が軸筒内部に弾性変形することにより係止突起における長孔の後端への係止が解除されるように構成したので、クリップを軸筒側に押圧するだけの比較的単純な動作で、係止突起を長孔の後端から離脱させることができ、比較的容易に筆記部を軸筒に没入させることができる。
【００２５】
そして、脚部を係止突起が形成された弾性片の後端に形成せずに、その係止突起より前方の弾性片の中間部に形成することにより、その脚部を移動させるための弾発力を増加させることができる。よって、その脚部を軸筒の外方に弾発させるために従来必要とされたスプリングを不要にすることができ、部品点数を増加させることなく、弾性片の不必要な弾性変形を防止し、これによりクリップの前端が軸筒を押接する弾発力の減少を回避することができる。そして、弾性片を連結部と所定の間隔をあけて並設し、その前端を接触部に接続して、長孔の後端に当接する脚部の後端を軸筒に直行するか或いはクリップに向かうに従って後方に移動するように傾斜して形成すれば、弾性体が脚部の後端を長孔の後端に押しつけて脚部を軸筒の外側に突出させ、クリップの先端を比較的強い力で軸筒の外周に押接させることができ、クリップにおける把持力を大きくすることができる。
【００２６】
更に、長孔の後端から係止突起が解除された状態で連結部又は弾性片に当接する支持突起を弾性片の中間部又は連結部に形成しても、クリップの前端が軸筒の表面を押接する弾発力が減少することを防止することができ、その支持突起を傾斜させれば弾性により湾曲してクリップと脚部の付け根部分やその支持突起に過度な負荷が加わるようなことを回避することができる。
【考案を実施するための最良の形態】
【００２７】
次に本考案を実施するための最良の形態を図面に基づいて説明する。
図１及び図２に示すように、本考案のノック式筆記具１０は、周囲に軸方向に延びる長孔１１ａが形成された軸筒１１と、前端の筆記部１２ａを軸筒１１の前端から出没可能に軸筒１１に挿入された筆記体１２を備える。この実施の形態における筆記体１２は、筆記部１２ａと樹脂パイプ１２ｂを有するいわゆるボールペンであって、樹脂パイプ１２ｂの前部にはその前端縁から所定の間隔をあけて両側を引き延ばすことによりスプリング止め１２ｃが形成され、このスプリング止め１２ｃより前方の樹脂パイプ１２ｂには弾性体であるコイルスプリング１４が嵌入される。軸筒１１の前部内面には、筆記体１２は挿通可能であるけれどもコイルスプリング１４が通過不能な段部１１ｄが形成され、コイルスプリング１４は前端が段部１１ｄに当接して圧縮され、その弾発力により筆記体１２を軸筒１１の後方に付勢するように構成される。
【００２８】
軸筒１１に形成される長孔１１ａは、軸筒１１の後部であって、後述する弾性片１７に対応する箇所に長手方向に延びて軸筒１１の内外を連通するように形成される。図３及び図４に示すように、この長孔１１ａの後方の軸筒１１の周囲にはこの長孔１１ａと同軸に係止孔１１ｅが形成され、軸筒１１の後端からこの係止孔１１ｅを貫通して長孔１１ａに至るスリット１１ｆが長手方向に形成される。長孔１１ａの後端と係止孔１１ｅの後端までの間隔は、軸筒１１の内部に没入した筆記体１２が前方に移動してその前端における筆記部１２ａが軸筒１１の前端から前方に突出するまでの移動距離に等しく形成される。そしてスリット１１ｆは軸筒１１の弾性により拡開可能に構成されその幅は後述する脚部１８の幅より小さく形成される。
【００２９】
図１〜図４に示すように、軸筒１１の後部にはノック体１６が挿入される。このノック体１６は、軸筒１１の内径より僅かに小さな外径を有する円柱状のノック部１６ａと、そのノック部１６ａから前方に所定の間隔をあけて設けられ筆記体１２の後端が接触する円柱状の接触部１６ｂと、そのノック部１６ａと接触部１６ｂを連結する平板状の連結部１６ｃを有する。そして、接触部１６ｂと連結部１６ｃは軸筒１１の後部に後方から挿入され、接触部１６ｂに筆記体１２の後端が接触した状態でノック部１６ａの後部は軸筒１１の後端から後方に突出するように構成される。
【００３０】
一方、連結部１６ｃには、その連結部１６ｃと所定の間隔をあけて弾性片１７が並設され、その弾性片１７の前端が接触部１６ｂに接続される。これによりこの弾性片１７は軸筒１１に挿入されたノック体１６に沿って設けられ、湾曲することによりその後端が移動可能に構成される。この弾性片１７には軸筒１１における長孔１１ａに挿通可能な脚部１８が形成される。長孔１１ａは脚部１８の幅より若干幅広に形成され、脚部１８は長孔１１ａに挿通された状態で筆記体１２の移動距離より僅かに長い距離を前後方向に移動可能に形成される。そして、脚部１８を軸筒１１の長孔１１ａに挿入するには、図４に示すように、脚部１８を軸筒１１のスリット１１ｆに位置させ、そのスリット１１ｆを拡開させて、ノック体１６とともに脚部１８を前進させ、拡開されたスリット１１ｆを介してその脚部１８を長孔１１ａにまで進入させる。その後拡開されたスリット１１ｆが弾性により復元することにより脚部１８は長孔１１ａに挿通され、その脚部１８は長孔１１ａの内部において前後方向に移動可能に挿通される。そして、図２に示すように、筆記体１２が後方に移動して、その筆記部１２ａが軸筒１１に没入した状態で脚部１８の後端が長孔１１ａの後端に当接するように構成される。
【００３１】
脚部１８にはクリップ１９の後部が連結される。このクリップ１９は軸筒１１の外部に軸方向に沿って設けられ、その弾性により前端を軸筒１１の外周に押接させるものである。このクリップ１９は脚部１８が形成された弾性片１７より比較的長く形成され、クリップの弾性により前端がノック体１６における接触部１６ｂより前方の軸筒１１の外周に押接される。ノック体１６と弾性片１７と脚部１８とこのクリップ１９は樹脂成型品であって、これらは樹脂成形時に一体的に形成され、筆記部１２ａが軸筒１１に没入した状態で長孔１１ａの後端に当接する脚部１８の後端は軸筒１１に直行するか或いはクリップ１９に向かうに従って後方に移動するように傾斜して形成される。ここで、図２は、脚部１８の後端が軸筒１１に直行して形成された場合を示す。そして、脚部１８は係止突起２１より前方の弾性片１７の中間部とクリップ１９の後部とを連結し、弾性片１７は弾性により脚部１８を介してクリップ１９の後部を軸筒１１の外方に弾発するように構成される。また、筆記体１２を後方に付勢する弾性体１４にあっても、軸筒１１に直行するか或いは傾斜して形成された脚部１８の後端を長孔１１ａの後端に押しつけ、その脚部１８を軸筒１１の外側に突出させるように構成される。
【００３２】
本考案の特徴ある構成は、筆記部１２ａが軸筒１１から突出した状態で長孔１１ａの後端に係止する係止突起２１が、弾性片１７の後端に軸筒１１の半径方向外側に向かって突出するように形成されたところにある。この実施の形態における係止突起２１は、その前面２１ａが軸筒１１の前端に向かって軸筒１１の内部に向かうように傾斜して形成され、その後面２１ｂが軸筒１１に直交するように構成される。そして、この係止突起２１は軸筒１１に直交する後面２１ｂが長孔１１ａの後端に当接してその長孔１１ａの後端に係止する状態となり、この係止状態で筆記部１２ａの突出状態を維持可能に構成される。即ち、脚部１８の後端から係止突起２１の後面２１ｂまでの距離と、ノック体１６をノック操作することにより筆記体１２が前進する距離が等しくなるような係止突起２１が弾性片１７の後端に形成され、筆記体１２が前進して筆記部１２ａが軸筒１１から突出した状態で係止突起２１の後面２１ｂが長孔１１ａの後端に係止するように構成される。一方、図５に示すように、係止突起２１の軸筒１１の半径方向の外側への突出量は連結部１６ｃと弾性片１７の間隔より小さく形成され、この弾性片１７が軸筒１１内部への弾性変形することによりこの係止突起２１における長孔１１ａ後端への係止状態が解除されるように構成される。
【００３３】
図２に示すように、長孔１１ａの後方の軸筒１１の周囲に形成された係止孔１１ｅは係止突起２１より大きく形成され、これにより筆記部１２ａが軸筒１１に没入した状態で係止突起２１がこの係止孔１１ｅに進入可能に構成される。そして、脚部１８の後端縁と係止突起２１の後面２１ｂとの間隔と、長孔１１ａの後端縁と係止孔１１ｅの後端縁との間隔が等しくなるように形成され、脚部１８後端が長孔１１ａの後端に当接して筆記部１２ａが軸筒１１に没入した状態で、係止突起２１の後面２１ｂが係止孔１１ｅの後端に当接するように構成される。また、クリップ１９の後部には脚部１８を越えて後方に延びる操作部２２が形成される。この操作部２２は、筆記部１２ａが軸筒１１に没入した状態で係止孔１１ｅを覆うように構成され、筆記部１２ａが軸筒１１に没入した状態で係止孔１１ｅが外部に表出することを回避し、外観上の見栄えを向上させるようになっている。
【００３４】
このように構成されたノック式筆記具では、ノック体１６を押圧すると、筆記体１２が軸筒１１内を前進し、筆記部１２ａが軸筒１１の前端より突出する。筆記部１２ａが軸筒１１から突出すると、弾性片１７の後端に形成された係止突起２１が長孔１１ａの後端に係止して筆記部１２ａの突出状態が維持される（図１）。そして、係止突起２１は従来品において形成されていたクリップではなく弾性片１７に形成するので、その弾性片１７を湾曲させて長孔１１ａの後端に係止した係止突起２１をその長孔１１ａから離脱させる力を、従来におけるクリップの前端の係止突起を軸筒の係止孔から離脱させる力に比較して大きくすることができる。即ち、ノック体１６を基準としたクリップ１９の前端までの距離よりも短い弾性片１７の後端に係止突起２１を形成することにより、その係止突起２１を長孔１１ａの後端に比較的大きな弾発力で係止させることができ、これにより筆記部１２ａが軸筒１１から突出した状態を安定して維持することが可能となる。
【００３５】
一方、図５に示すように、クリップ１９の後端に連続して形成された操作部２２を軸筒１１方向へ押圧すると、弾性片１７は軸筒１１内部に弾性変形して係止突起２１を長孔１１ａの後端から離脱させることができる。すると、図２に示すように、コイルスプリングからなる弾性体１４の弾発により筆記体１２及びノック体１６は後方に移動し、筆記部１２ａが軸筒１１に没入する。よって、比較的容易に係止突起２１を長孔１１ａの後端から離脱させて筆記部１２ａを軸筒１１に確実に没入させることができる。そして、筆記部１２ａを軸筒１１に没入させるには、弾性片１７を軸筒１１内部に弾性変形させるだけで済むので、クリップ１９と脚部１８の付け根部分に過度な負荷が加わるようなことはない。
【００３６】
また、脚部１８を係止突起２１より前方の弾性片１７の中間部に形成するので、その脚部１８を移動させるための弾発力を増加させることができる。よって、その脚部１８を軸筒１１の外方に弾発させるために従来必要とされた図１３におけるスプリング６を不要にすることができ、部品点数を増加させることなく、弾性片１７の不必要な弾性変形を防止することができ、これによりクリップ１９の前端が軸筒１１の表面を押接する弾発力の減少を回避することができる。また、クリップ１９に従来形成されていた係止突起を形成しないので、クリップ１９のデザインの自由度は向上し、クリップ１９の前端が軸筒１１の表面を押接する弾発力が増したとしても、係止突起がそのクリップ１９と軸筒１１との間に挟まれる生地に押しつけられてその生地を傷つけるようなこともない。
【００３７】
そして、係止突起２１が長孔１１ａの後端から離脱した後においても更に操作部２２を軸筒１１方向へ押圧すると、図６に示すように、弾性片１７の後部が連結部１６ｃに当接し、更に操作部２２を軸筒１１方向へ押圧すると、その操作部２２と一体的に形成されたクリップ１９が脚部１８を中心として揺動し、クリップ１９の前端が軸筒１１の外表面から離間する。そして、このクリップ１９の前端と軸筒１１との間に図示しないポケット等の生地を挿入させ、その後復元させてクリップ１９の前端と軸筒１１によりその生地を挟むようにすれば、このクリップ１９によりこの筆記具１０をそのポケット等に取付けることができる。
【００３８】
ここで、本発明の筆記具１０では、弾性片１７の湾曲を阻害する図１３における従来技術のスプリング５を弾性片１７と連結部１６ｃとの間に介在させないので、弾性片１７の十分な湾曲とともに、脚部１８を中心とするクリップ１９の十分な揺動を確保することができ、クリップ１９の前端を軸筒１１から大きく開かせることができる。このため、クリップ１９の前端と軸筒１１との間の開放を操作部２２の操作により行うこともでき、最大限に厚みのある物品をクリップ１９の前端と軸筒１１との間の隙間に挿入させてこのクリップ１９により挟持することが可能となる。また、長孔１１ａの後端に当接する脚部１８の後端を軸筒１１に直行させ或いは傾斜して形成するので、操作部２２を軸筒１１方向へ押圧すると、脚部１８の後端が長孔１１ａの後端に押しつけられてノック体１６は前方に移動する。このため、このクリップ１９の前端と軸筒１１との間の隙間に図示しないポケット等の生地を比較的容易に挿入させることができる。
【００３９】
一方、クリップ１９の前端と軸筒１１との間に図示しないポケット等の生地を挿入させた後に操作部２２の押圧を解除すると、弾性片１７は復元して脚部１８を軸筒１１の外側に突出させ、その脚部１８に連結されたクリップ１９はその前端を弾性により軸筒１１の外周に押接させて生地等を挟み、この筆記具１０をポケット等に取付ける。即ち、本発明の筆記具１０では、クリップ１９及び弾性片１７の双方の弾性によりクリップ１９の前端が軸筒１１とともに生地等を挟持する弾発力を発生させることができる。特にこの実施の形態では、脚部１８の後端を軸筒１１に直行させ或いは傾斜して形成したので、弾性体１４は筆記体１２を後方に付勢することにより脚部１８を軸筒１１の外側に突出させる。このため、弾性片１７の前端を中心としてその脚部１８に連結されたクリップ１９を回動させ、クリップ１９の先端を比較的強い力で軸筒１１の外周に押接させることができる。この結果、このクリップ１９における把持力を大きくすることができ、このクリップ１９によりこの筆記具１０をそのポケット等に確実に取付けることが可能となる。
【００４０】
なお、上述した実施の形態では、筆記体１２がボールペンである場合を例示して説明したが、この筆記体１２は、いわゆるサインペンや、マーキング等の類であっても良い。
また、上述した実施の形態では、脚部１８を係止突起２１より前方の弾性片１７の中間部に形成して脚部１８を移動させるための弾発力を増加させ、従来必要とされた図１３におけるスプリング６を不要にしたけれども、部品点数を増加させることなく、弾性片１７の不必要な弾性変形を防止するために、図７に示すように、長孔１１ａの後端から係止突起２１が解除された状態で連結部１６ｃ又は弾性片１７に当接する支持突起２６を脚部１８が形成された弾性片１７の中間部又は脚部１８に対向する連結部１６ｃに形成しても良い。図７では、連結部１６ｃに当接する支持突起２６を弾性片１７の中間部に形成する場合を示すが、弾性片１７に当接する支持突起２６を脚部１８に対向する連結部１６ｃに形成しても良い。
【００４１】
このような支持突起２６を形成したノック式筆記具では、図８に示すように、長孔１１ａの後端から係止突起２１が解除された状態で支持突起２６が連結部１６ｃ又は弾性片１７に当接し、接触部１６ｂに接続された前端を基準とする弾性片１７の弾性変形を禁止し、脚部１８がそれ以上軸筒１１内部に没入することを防止する。従って、長孔１１ａの後端から係止突起２１が解除された後における弾性片１７の不必要な弾性変形は防止され、クリップ１９の弾性変形する基準が弾性片１７の前端からこの支持突起２６に変更される。すると、図９に示すように、その後クリップ１９はこの支持突起２６によりそれ以上の軸筒１１内部への没入が禁止された脚部１８を中心として弾性変形し、その復元力によりクリップ１９の前端を軸筒１１の表面を押接させることになる。即ち、基準が変更することにより、その基準からクリップ１９の前端までの距離が短くなり、これによりクリップ１９の前端が軸筒１１の表面を押接する弾発力の減少を有効に回避することができる。よって、このような支持突起２６を形成することにより、従来必要とされた図１３におけるスプリング５を用いることなくその後の弾性片１７の不必要な弾性変形を防止して、クリップ１９の前端が軸筒１１とともにポケット等の生地を挟持する力を効果的に確保することができる。
【００４２】
また、図１０に示すように、この支持突起２６は、弾性により湾曲可能に傾斜して弾性片１７又は連結部１６ｃに形成しても良い。このような支持突起２６を形成したノック式筆記具１０では、図１１に示すように、上述したように、長孔１１ａの後端から係止突起２１が解除された状態で支持突起２６が連結部１６ｃ又は弾性片１７に当接し、脚部１８がそれ以上軸筒１１内部に没入することを防止する。すると、図１２に示すように、その後クリップ１９はこの支持突起２６を基準として弾性変形することになるけれども、この支持突起２６を傾斜させたので、その支持突起２６は弾性により湾曲して弾性片１７と連結部１６ｃの間隔を僅かに縮め、クリップ１９が弾性変形する際にクリップ１９と脚部１８の付け根部分やその支持突起２６に加わる力をその弾性により吸収する。これにより、クリップ１９と脚部１８の付け根部分やその支持突起２６に過度な負荷が加わるようなことを回避することができる。ここで、図１０では、傾斜する支持突起２６を連結部１６ｃに形成した場合を示すけれども、図示しないがその支持突起２６を弾性片１７に形成して弾性により湾曲可能にしても良い。
【図面の簡単な説明】
【００４３】
【図１】本考案実施形態のノック式筆記具の筆記部が軸筒の前端から突出した状態を示す断面図である。
【図２】その筆記部が軸筒に没入した状態を示す図１に対応する断面図である。
【図３】図１のＡ−Ａ線断面図である。
【図４】そのノック体が軸筒の後部に挿入される状態を示す斜視図である。
【図５】その弾性片の後端が軸筒内部に弾性変形して係止突起の長孔の後端への係止が解除された状態を示す断面図である。
【図６】その操作部が押されてクリップが揺動した状態を示す図５に対応する断面図である。
【図７】その弾性片に支持突起が形成された図１の拡大図に対応する断面図である。
【図８】その長孔の後端から係止突起が解除されて連結部に支持突起が当接した状態を示す図７に対応する断面図である。
【図９】その脚部を中心として弾性変形してクリップの前端が軸筒から離された状態を示す図８に対応する断面図である。
【図１０】その支持突起が傾斜して形成された図７に対応する断面図である。
【図１１】その傾斜した支持突起に弾性片が当接した状態を示す図８に対応する断面図である。
【図１２】その傾斜した支持突起に弾性片が当接した後にクリップの前端が軸筒から離された状態を示す図９に対応する断面図である。
【図１３】従来のノック式筆記具を示す断面図である。
【図１４】その従来のノック式筆記具のクリップ前端の係止突起の係止孔への係止が解除された状態を示す図１３に対応する断面図である。
【符号の説明】
【００４４】
１０  ノック式筆記具
１１  軸筒
１１ａ  長孔
１１ｅ  係止孔
１１ｆ  スリット
１２  筆記体
１２ａ  筆記部
１４  コイルスプリング（弾性体）
１６  ノック体
１６ａ  ノック部
１６ｂ  接触部
１６ｃ  連結部
１７  弾性片
１８  脚部
１９  クリップ
２１  係止突起
２２  操作部
２６  支持突起
【図１】
0003139755.tif 000003
【図２】
0003139755.tif 000004
【図３】
0003139755.tif 000005
【図４】
0003139755.tif 000006
【図５】
0003139755.tif 000007
【図６】
0003139755.tif 000008
【図７】
0003139755.tif 000009
【図８】
0003139755.tif 000010
【図９】
0003139755.tif 000011
【図１０】
0003139755.tif 000012
【図１１】
0003139755.tif 000013
【図１２】
0003139755.tif 000014
【図１３】
0003139755.tif 000015
【図１４】
0003139755.tif 000016